(57)【要約】【課題】大きく簡単に開封でき、サンドイッチを容易に取り出すことができる包装袋を提供することを目的とする。【解決手段】この発明のサンドイッチ包装用袋１は、略等脚台形状の食品収容部６を有する２枚のプラスチックシートである第１シート２および第２シート３と、等脚台形状の短辺７側に形成された耳部１０と、第２シート３において第１シート２に対向した面に設けられた２本のカットテープ４とを有し、２本のカットテープは等脚台形状の短辺７に垂直であって短辺７の両端部付近に設けられ、２本のカットテープ４の短辺７側の端部付近には２本のカットテープ４の幅より長い切り込み部５が形成されている。【選択図】図１
2017088217.tif 000002
【特許請求の範囲】
【請求項１】
略等脚台形状の食品収容部を有する２枚のプラスチックシートである第１シートおよび第２シートと、等脚台形状の短辺側に形成された耳部と、第２シートにおいて第１シートに対向した面に設けられた２本のカットテープとを有し、２本のカットテープは等脚台形状の短辺に垂直であって短辺の両端部付近に設けられ、２本のカットテープの短辺側の端部付近には２本のカットテープの幅より長い切り込み部が形成されているサンドイッチ包装用袋。
【請求項２】
２本のカットテープの間隔が等脚台形状の短辺の長さの１／２以上である請求項１に記載のサンドイッチ包装用袋。
【発明の詳細な説明】
【技術分野】
【０００１】
この発明は、直角三角形状のサンドイッチを包装するためのプラスチックフィルム製の食品包装体に関する。
【背景技術】
【０００２】
直角三角形の形状をしたサンドイッチは、プラスチックフィルムでできた包装袋に収納され、店頭に陳列されている。特許文献１や特許文献２には、このような直角三角形のサンドイッチを収納する包装袋が記載されている。
【０００３】
特許文献１のサンドイッチ用包装体は、第１プラスチックシートと第２プラスチックシートを有し、第１プラスチックシートと第２プラスチックシートは同形の等脚台形部を有し、等脚台形部の斜辺部および上辺部には第１プラスチックシートと第２プラスチックシートの接続部が所定の幅で形成され、等脚台形部の下辺部は第１プラスチックシートと第２プラスチックシートが接続されていない開口部となっている。そして、中央部にはカットテープが設けられ、開封を容易にしている。
【０００４】
特許文献２のサンドイッチ用包装袋では、表シートと裏シートは、上辺部の下方で上部シールによって左右方向にヒートシールされると共に、延伸方向を上下方向に向けた破断用シートが、裏シートの内面に重ね合わされて左右方向に間隔をおいて上下方向に延びる複数条のヒートシールにより裏シートに接合され、かつ、裏シートを破断用シートと共に切り裂くために裏シートに及ぶ切込み部が、上部シール以上の破断用シートに形成される。
【先行技術文献】
【特許文献】
【０００５】
【特許文献１】特開２０１３−１６６５６６号公報
【特許文献２】特開２００６−８１６２号公報
【発明の概要】
【発明が解決しようとする課題】
【０００６】
特許文献１や特許文献２に記載のサンドイッチ用包装材は、等脚台形の食品収容部を有し、ここに直角三角形のサンドイッチを入れて包装する。すると、サンドイッチの斜辺に沿った面が包装体の正面に表れる。特許文献１の発明では、その正面にはカットテープが設けられているので、このカットテープを引き上げることによって開封し、その開口部より、中のサンドイッチを取り出すことができる。
【０００７】
しかし、カットテープにより開封できる幅は限られていて、厚みのあるサンドイッチを簡単に取り出すことはできない。そこで、多数のカットテープを平行に設けることが考えられるが、それらのカットテープを一度に引き上げることはできず、広い幅の開口を得るためには、何回も開封作業を行う必要がある。特許文献２のサンドイッチ用包装袋では、三角形サンドイッチの斜辺に沿った面全体を覆うだけの多数のヒートシールを設け、しかも、幅広く簡単に開封できるとされている。しかし、その構造は複雑であり、製造にかかる時間とコストが大きくならざるをえない。
【０００８】
この発明は、大きく簡単に開封でき、サンドイッチを容易に取り出すことができる包装袋を提供することを目的とする。
【課題を解決するための手段】
【０００９】
上記の課題を解決するために、この発明のサンドイッチ包装用袋は、略等脚台形状の食品収容部を有する２枚のプラスチックシートである第１シートおよび第２シートと、等脚台形状の短辺側に形成された耳部と、第２シートにおいて第１シートに対向した面に設けられた２本のカットテープとを有し、２本のカットテープは等脚台形状の短辺に垂直であって短辺の両端部付近に設けられ、２本のカットテープの短辺側の端部付近には２本のカットテープの幅より長い切り込み部が形成されている。さらに、２本のカットテープの間隔が等脚台形状の短辺の長さの１／２以上であることが好ましい。
【発明の効果】
【００１０】
この発明のサンドイッチ包装用袋は、広い間隔をあけて設けた２本のカットテープにより開封口を得ることができ、中のサンドイッチを簡単に取り出すことができる。
【図面の簡単な説明】
【００１１】
【図１】サンドイッチ包装用袋を示す正面図である。
【図２】同右側面図である。
【図３】同平面図である。
【図４】同底面図である。
【図５】同Ａ−Ａ断面図である。
【図６】同Ｂ−Ｂ断面図である。
【図７】第１シートを示す正面図である。
【図８】第２シートを示す背面図である。
【図９】サンドイッチ包装用袋の使用状態を示す参考斜視図である。
【発明を実施するための形態】
【００１２】
本発明を実施するための形態について、図面に基づいて詳細に説明する。図１はサンドイッチ包装用袋を示す正面図、図２は同右側面図、図３は同平面図、図４は同底面図である。また図５は同Ａ−Ａ断面図、図６は同Ｂ−Ｂ断面図である。背面図は正面図と同一に表れ、また、左側面図は右側面図と対称に表れる。
【００１３】
サンドイッチ包装用袋１は、ほぼ外形が同じ第１シート２と第２シート３の重ね合わせにより形成される。第１シート２および第３シート３はいずれも薄く透明なプラスチックフィルムであり、サンドイッチ包装用袋１も印刷が施されていなければ全体的に透明である。
【００１４】
サンドイッチ包装用袋１は、上辺７が短辺であり、下辺９が長辺である等脚台形の形状をした食品収容部６を有する。この食品収容部６において、上辺７（短辺）および側部の斜辺８では第１シート２と第２シート３が接続されている。一方、下辺９（長辺）では第１シート２と第２シート３は接続されていない。したがって、食品収容部６は下辺９のみが開いた袋形状になっており、この中にサンドイッチを収容できるようになっている。この食品収容部６の形状は収容されるサンドイッチの形状に対応している。このサンドイッチ包装用袋には、直角三角形のサンドイッチが収容されるが、上辺７はサンドイッチの厚さとほぼ同じか若干広めになっており、斜辺８の垂線に対する角度θはサンドイッチの頂点の角度の半分になっている。多くの場合では、正方形のパンを対角線に沿って切断するので、得られるサンドイッチは二等辺直角三角形となり、本例においても角度θは概ね２２．５°である。
【００１５】
食品収容部６の上部には上辺７（短辺）に続く耳部１０が設けられ、下部には折り畳み部１１が設けられている。この耳部１０と折り畳み部１１の形状には特に制限はないが、ここでは耳部１０は長方形状であり、折り畳み部１１は下辺が短辺となる等脚台形になっている。
【００１６】
図７は第１シートを示す正面図、図８は第２シートを示す背面図である。第１シートと第２シートはほぼ同じ形状であり、食品収容部を形成する等脚台形状の部分と、その上の耳部を形成する長方形状の部分と、下の折り畳み部を形成する等脚台形状の部分を有する。そして、第２シートには、第１シートに対向した面に２本のカットテープ４が取り付けられている。カットテープ４は、上辺７に対して垂直である。そして、上辺７の両端部付近に設ける。後述するように、等脚台形状の中で上辺７およびその両端点に垂直な線を辺とする長方形状の領域は、収納されるサンドイッチの斜面に当たることになるが、この長方形状の領域内であり、かつ、なるべく両端部に近い位置にカットテープ４を設ける。ただし、完全に両側部に設けるのではなく、その上部に設ける切り込み部５の両端部が突き出る程度の間隔を両側部との間に残すようにする。
【００１７】
これにより、２本のカットテープ４の間には、大きな間隔が形成される。この間隔が、少なくとも上辺７（短辺）の長さの１／２以上になるようにすることが好ましい。この間隔とは、カットテープ４の側辺で相互に外側に位置している側辺同士の間隔である。後述の通り、このカットテープにより開封されたときに形成される開口部の幅が、この外部側辺同士の間隔に相当する。本例では、上辺７の長さが７０ｍｍであり、幅１０ｍｍのカットテープ４が取り付けられている。そして、外部側辺同士の間隔は６０ｍｍであり、ほぼ上辺７の長さに近いが、その両側部に５ｍｍの幅が残っている。
【００１８】
２本のカットテープ４の上部は上辺７を越えて、耳部１０まで延びている。そして、２本のカットテープ４の上側、すなわち、耳部１０の端部付近ですぐ上側に２本のカットテープ４の取り付けられている幅より長い切り込み部５が形成されている。長い切り込み部５の中央部はカットテープ４に垂直な直線であり、その両端部にはカットテープ４の外側部上端に近づくような傾斜を有する曲線となっている。
【００１９】
ついで、このサンドイッチ包装用袋の使用方法について説明する。サンドイッチ包装用袋の下部は開いているので、ここからサンドイッチｘを挿入する。サンドイッチｘの直角三角形の頂点側から挿入し、奥まで入れる。このとき、サンドイッチｘの斜辺に沿った面が第２シート３に当たるような向きで入れる。そして、サンドイッチ包装用袋の下部の余った部分をキャラメル折りのようにして折り畳み、粘着テープやシールなどで止めれば包装が完了する。図９はサンドイッチ包装用袋の使用状態を示す斜視図である。
【００２０】
三角サンドイッチは、通常は正方形または長方形の２枚またはそれ以上のパンの間に具材を挟みこむことによって作られ、その後、対角線に沿って２つに切断される。こうして、直角三角形のサンドイッチができる。斜辺に沿った面が切断面であり、この面ではサンドイッチの具材がよく見えるようになっている。第２シート３は透明であるので、この包装体を店頭に陳列したときに、外から具材がよく観察できる。
【００２１】
このサンドイッチ包装用袋は、切り欠き部５を指でつまんで、下向きに引き下げて開封する。これによって、第２シート３の中心部は２本のカットテープ４の両側部に沿って切断されていく。２本のカットテープ４は広い間隔でもって設けられているので、大きな開口が得られる。サンドイッチの斜辺の面のほとんど全てが露出する。そして、大きな開口部より中のサンドイッチを簡単に取り出すことができる。
【符号の説明】
【００２２】
１．サンドイッチ包装用袋
２．第１シート
３．第２シート
４．カットテープ
５．切り込み部
６．食品収容部（等脚台形部）
７．上辺
８．斜辺
９．下辺 
１０．耳部
１１．折り畳み部
ｘ．サンドイッチ
【図１】
2017088217.tif 000003
【図２】
2017088217.tif 000004
【図３】
2017088217.tif 000005
【図４】
2017088217.tif 000006
【図５】
2017088217.tif 000007
【図６】
2017088217.tif 000008
【図７】
2017088217.tif 000009
【図８】
2017088217.tif 000010
【図９】
2017088217.tif 000011